(57)【特許請求の範囲】
【請求項１】
発光素子から出射された光の配光制御を行う配光制御部材であって、
前記配光制御部材は、前記発光素子に対峙する頂部と、該頂部から複数の平面が末広がり状に配置された側部と、光の出射面となる矩形の底部と、により取り囲まれた光透過性樹脂からなる錐体を有し、
前記頂部を挟んで対向して配置される２対以上の前記側部が、該錐体の内部側に窪む略Ｖ字状に配置される２平面からなる窪み部により構成され、
前記側部を構成する窪み部は、前記頂部から前記錐体内に入射した光線が、該側部に該錐体内部側から入射し、それぞれの側部で全反射して前記底部から被照射面方向に出射され、該被照射面上で矩形形状の配光特性に制御されるように配置されてなる配光制御部材。
【請求項２】
前記窪み部は、谷底部の断面形状がＲ形状である請求項１に記載の配光制御部材。
【請求項３】
請求項１又は２のいずれかに記載の配光制御部材と、発光素子と、を有する照明装置。
【発明の詳細な説明】
【技術分野】
【０００１】
本発明は、ＬＥＤ（発光ダイオード）などの発光素子から出射する光の配光特性を制御する配光制御部材及びそれを用いた照明装置に関する。
【背景技術】
【０００２】
近年、ＬＥＤ（発光ダイオード）などの半導体発光素子を用いた発光装置（照明装置）が普及しつつある。【０００３】
このような発光装置は、光源となる発光素子と、発光素子から出射した光が所望の配光特性となるように光の進行方向を制御する光束制御部材（配光制御部材）とを有している。これらの光束制御部材は、例えば、ポリメタクリル酸メチル（ＰＭＭＡ）やポリカーボネート（ＰＣ）などの光透過性樹脂からなり、回転軸方向に所定の厚みを有する回転対称な円盤状の導光部を有する。導光部は、円盤面の少なくとも１面が全反射面とされると共に、外周近傍に、内部を伝搬してきた光を中心軸方向に反射する反射面が形成されている。【０００４】
発光素子は、光束制御部材の回転軸中心付近に配置される。発光素子から照射された光は、光束制御部材の回転軸近辺から導光部内に入射し、導光部の１面に形成された全反射面で全反射を繰り返して導光部内を伝搬し、光束制御部材の外側面から出射する。また、一部の光は、円盤内の外周近傍に形成された反射面で反射して円盤面の外側近傍から回転軸方向に出射する。【０００５】
このような光束制御部材は、円盤状の導光部によって、発光素子から出射する光の伝搬方向を制御して、所望の配光方向に出射光が得られるため、光束制御部材の回転軸方向の厚みを薄くすることを可能としつつ、光束制御部材を直視しても眩しくないなどの照明装置の用途に応じた所望の配光特性が得られる。
【先行技術文献】
【特許文献】
【０００６】
【特許文献１】特開２０１３−２０７１６号公報
【発明の概要】
【発明が解決しようとする課題】
【０００７】
従来の光束制御部材は、配光特性を制御する導光部の構成が回転対象であるために、被照射面を矩形状に照明することができない。また、被照射面の中心から所望範囲の四隅における照明光の照度を、任意に制御し、且つ、中心照度に対して十分な照度を確保することできないという問題がある。【０００８】
本発明は、配光制御部材の光軸方向の厚みを薄くしつつ、被照射面を矩形状に照明することができ、また、被照射面の中心から所望範囲の四隅における照明光の照度を、任意に制御し、且つ、中心照度に対して十分な照度を確保することができる配光制御部材及び照明装置を提供することを目的とする。
【課題を解決するための手段】
【０００９】
請求項１に記載の配光制御部材は、発光素子から出射された光の配光制御を行う配光制御部材であって、前記配光制御部材は、前記発光素子に対峙する頂部と、該頂部から複数の平面が末広がり状に配置された側部と、光の出射面となる矩形の底部と、により取り囲まれた光透過性樹脂からなる錐体を有し、前記頂部を挟んで対向して配置される２対以上の前記側部が、該錐体の内部側に窪む略Ｖ字状に配置される２平面からなる窪み部により構成され、前記側部を構成する窪み部は、前記頂部から前記錐体内に入射した光線が、該側部に該錐体内部側から入射して、該側部で全反射し、前記底部から被照射面方向に出射され、該被照射面上で矩形形状の配光特性に制御されるように配置されてなることを特徴とする。
【００１１】
請求項２に記載の配光制御部材は、請求項１に記載の発明において、前記窪み部は、谷底部の断面形状がＲ形状であることを特徴とする。
【００１４】
請求項３に記載の照明装置は、請求項１又は２に記載の配光制御部材と、発光素子と、を有することを特徴とする。
【発明の効果】
【００１５】
本発明によれば、光束制御部材の光軸方向の厚みを薄くしつつ、被照射面を矩形状に照明することができ、被照射面の中心から所望範囲の四隅における照明光の照度を、任意に制御し、且つ、中心照度に対して十分な照度を確保することができる。
【図面の簡単な説明】
【００１６】
【図１】実施例１の配光制御部材の斜視図である。
【図２】配光制御部材を構成する錐体の斜視図である。
【図３】図３は、錐体の（Ａ）正面図、（Ｂ）平面図、（Ｃ）右側面図である。
【図４】図４は、配光制御部材の（Ａ）正面図、（Ｂ）Ａ―Ａ線断面図、（Ｃ）Ｂ−Ｂ線断面図、（Ｄ）Ｅ―Ｅ線断面図である。
【図５】図５は、実施例１の配光制御部材を構成する錐体からの出射光の配光特性を示す図である。
【図６】図６は、実施例２の配光制御部材の正面斜視図である。
【図７】図７は、実施例２の配光制御部材の背面斜視図である。
【図８】図８は、実施例２の配光制御部材の正面図である。
【図９】図９は、実施例２の配光制御部材を構成する錐体からの出射光の配光特性を示す図である。
【図１０】図１０は、実施例３の配光制御部材の斜視図である。
【図１１】図１１は、実施例３の配光制御部材を構成する錐体の斜視図である。
【図１２】図１２は、実施例３の配光制御部材を構成する錐体の（Ａ）正面図、（Ｂ）Ａ―Ａ線断面図、（Ｃ）Ｂ−Ｂ線断面図である。
【図１３】図１３は、実施例３の配光制御部材の（Ａ）正面図、（Ｂ）Ａ―Ａ線断面図、（Ｃ）Ｂ−Ｂ線断面図、（Ｄ）Ｅ―Ｅ線断面図である。
【図１４】図１４は、実施例４の配光制御部材の斜視図である。
【図１５】図１５は、実施例４の配光制御部材を構成する錐体の斜視図である。
【図１６】図１６は、実施例４の配光制御部材を構成する錐体の（Ａ）正面図、（Ｂ）Ａ―Ａ線断面図、（Ｃ）Ｂ−Ｂ線断面図である。
【図１７】図１７は、実施例４の配光制御部材の（Ａ）正面図、（Ｂ）Ａ―Ａ線断面図、（Ｃ）Ｂ−Ｂ線断面図である。
【発明を実施するための形態】
【実施例１】
【００１７】
以下、本発明の実施例１における配光制御部材について図面を参照して説明する。
図１は、配光制御部材の外観を示す斜視図、図２は、配光制御部材としての錐体の斜視図を示す。図３は、実施例１における配光制御部材としての錐体１１０の（Ａ）正面図、（Ｂ）平面図、（Ｃ）右側面図を示す。図４は、本発明の実施の形態にかかる配光制御部材の（Ａ）正面図、（Ｂ）Ａ―Ａ線断面図、（Ｃ）Ｂ−Ｂ線断面図、（Ｄ）Ｅ―Ｅ線断面図である。【００１８】
実施例１における配光制御部材１００を構成する錐体１１０は、図１から図３に示すように、平面視で長方形の底部３０を有する。錐体１１０は、発光素子（図示せず）に対峙する頂部１０、該頂部１０から末広がり状に形成された側部２０、及び光の出射面となる底部３０を備えている。また、錐体１１０において、頂部１０は、上面が平坦とされ、この頂部１０が図示しない発光素子からの光の入射面とされる。【００１９】
側部２０には、頂部１０を挟んで対向して配置される第１の窪み部２１と、同じく頂部１０を挟んで対向して配置される第２の窪み部２２と、を備える。【００２０】
第１の窪み部２１は、図２及び図３に示すように、谷底部２１ａを挟んでＶ字状に配置される２つの平面２１ｂ及び２１ｃにより錐体１１０の内部側に窪む形状とされる。なお、図３の（Ｃ）に示すように、第２の窪み部２２も同様の構成とされる。【００２１】
発光素子（図示せず）から出射し、頂部１０側から錐体１１０内に入射した光線は、平面２１ｂ、２１ｃ及び平面２２ｂ、２２ｃを含む側部２０に、錐体１１０の内部側から入射し、それぞれの平面でスネルの法則に従って反射（全反射）し、錐体１１０の底部３０から所定の方向に出射し、被照射基準面（仮想平面）に達することになる。【００２２】
従って、第１の窪み部２１及び第２の窪み部２２の形状を、その窪み部の深さや、平面２１ｂ、２１ｃ及び平面２２ｂ、２２ｃの形状を任意に設定することにより、光線の反射方向を制御して、被照射基準面（仮想平面）で所望の配光特性を得ることができる。【００２３】
図５のグラフは、実施例１における配光制御部材としての錐体１１０から出射する光の配光特性を、光源（図示せず）より１ｍ離れた光軸上の位置を原点とする光軸に直交する仮想平面であるＸＹ平面上（被照射基準面）での光の強度に応じた照度分布（グラフ上に示す濃淡）によって示す図である。図５に示す通り、実施例１にかかる錐体１１０を通過した光は、各窪み部２１及び２２を形成する平面２１ｂ、２１ｃ及び平面２２ｂ、２２ｃによって、仮想平面上で矩形形状に配光特性が制御され、且つ、仮想平面の中心から所望範囲の四隅における照度を十分確保することができる。【００２４】
実施例１における配光制御部材は、図１及び図４に示すように、錐体１１０の長手方向及び短手方向の外周に、錐体１１０を囲むように矩形の第１のプリズム部１２０が形成される。また、第１のプリズム部１２０と錐体１１０との間には、第１のプリズム部の向かい合う２辺に平行して、錐体１１０を挟み込むように第２のプリズム部１３０ａ及び１３０ｂが形成される。また、プリズム部１２０の外周には、プリズム部１２０を囲むように矩形の第３のプリズム部１４０ａ及びプリズム部１４０ｂが形成される。【００２５】
各プリズム部１２０、１３０ａ、１３０ｂ、及び１４０ａ、１４０ｂの断面形状は、図４の（Ｂ）及び（Ｃ）に示すように、それぞれ、配光制御部材１００の中心側に面し、且つ光軸方向にほぼ垂直に近い斜面の入射面と、配光制御部材１００の面し、且つ光軸に対して所定の角度で傾斜する反射面とを備える形状とされる。【００２６】
各プリズム部１２０、１３０、及び１４０の反射面は、錐体１１０に最も近接して配置されるプリズム部１２０から、最も離れて配置されるプリズム部１４０に向かって、その傾斜角度が緩やかになるように、各プリズム部の傾斜面が形成される。【００２７】
また、実施例１におけるプリズム部１４０ａ及びプリズム部１４０ｂは、図１に示すように、配光制御部材１００の内部、即ち、錐体１１０側に窪むＶ字状の２平面から形成されている。【００２８】
実施例１における配光制御部材１００は、図示しない発光素子から出射した光線のうち、錐体１１０の頂部１０から錐体１１０内に入射する主要光線以外の漏れ光線についても、各プリズム部１２０、１３０及び１４０の各入射面（屈折面）からプリズム部内に入射し、各プリズム部１２０、１３０及び１４０の各反射面（または全反射面）で反射され、光軸方向に光線の方向が変えられ出射する。従って、本発明の配光制御部材としての錐体１１０の配光特性と合わせて、更に効果的に、被照射基準面上での配光特性が制御され、被照射基準面の中心から所望範囲の四隅における照度を更に十分確保することができる。【００２９】
また、第１のプリズム部１２０、第２のプリズム部１３０ａ及び１３０ｂ及び、第３のプリズム部１４０ａ及びプリズム部１４０ｂの形状は、特に、この例に限定されるものではなく、求められる配光特性に応じて、各プリズム部の配置及び断面形状は適宜最適なものを選択することができ、例えば、プリズム部１２０と錐体１１０の長手方向端部との間に配置されるプリズム部１３０に平行して、更に、別のプリズム部を形成してもよい。
【実施例２】
【００３０】
以下、本発明の実施例２における配光制御部材について図面を参照して説明する。
図６は、配光制御部材の正面側の外観である正面斜視図、図７は、配光制御部材の背面側の外観である背面斜視図を示す。図８は、配光制御部材の正面図を示す。【００３１】
実施例２における配光制御部材１００を構成する錐体１１０は、図６及び図８に示すように、発光素子（図示せず）に対峙する頂部１０、該頂部１０から末広がり状に形成された側部２０、及び光の出射面となる底部３０を備えている。また、錐体１１０において、頂部１０は、上面が平坦とされ、この頂部１０が図示しない発光素子からの光の入射面とされる。また、錐体１１０は、配光制御部材の基部に形成される平面視で略矩形状の凹部１０１内に形成される。ここで、実施例２では、配光制御部材は錐体１１０部分が光線を透過し、それ以外の基部は、光が透過しない構成とされる。【００３２】
側部２０には、頂部１０を挟んで対向して配置される第１の窪み部２１、同じく頂部１０を挟んで対向して配置される第２の窪み部２２、頂部１０を挟んで対向して配置される第３の窪み部２３、及び頂部１０を挟んで対向して配置される第４の窪み部２４と、を備える。【００３３】
第１から第４の窪み部２１〜２４は、実施例１における錐体１１０と同様に、それぞれＶ字状に配置される２つの平面により錐体１１０の内部側に窪む形状とされる。【００３４】
光の出射面となる配光制御部材１００の背面側は、図７に示すように、略矩形の底部３０を備えている。また、底部３０の中心には、開口形状が円形の凹部１０２が形成される。凹部１０２の開口形状及び深さを適宜設定することにより、被照射基準面上での配光特性が制御され、被照射基準面の中心部及びその中心部から所望範囲の四隅における照度の分布をより均質にすることができる。【００３５】
図９のグラフは、実施例２における配光制御部材としての錐体１１０から出射する光の配光特性を、光源（図示せず）より１ｍ離れた光軸上の位置を原点とする光軸に直交する仮想平面であるＸＹ平面上（被照射基準面）での光の強度に応じた照度分布（グラフ上に示す濃淡）によって示す図である。図９に示す通り、実施例２にかかる錐体１１０を通過した光は、第１から第４の窪み部２１〜２４によって、仮想平面上（被照射基準面）で矩形形状に配光特性が更に効率的に制御され、且つ、仮想平面の中心から所望範囲の四隅における照度を十分確保することができる。【００３６】
本発明の別の実施の形態としては、錐体１１０の第１の窪み部２１及び第２の窪み部２２に形成された谷底部２１ａ及び２２ａの断面形状がＲ形状とされる。このように構成することで、被照射基準面上での所望範囲内での配光特性を均質にすることができる。【００３７】
本発明の更に別の実施の形態としては、錐体１１０の第１の窪み部２１及び第２の窪み部２２は、錐体１１０の内部側に窪む任意曲率の曲面から形成される。このように構成することで、被照射基準面上での所望範囲内での配光特性を均質にすることができる。【００３８】
また、錐体１１０の側部２０上に、求められる配光特性に応じて、所望の形状のフレネルレンズを形成してもよい。【００３９】
また、錐体１１０の底部３０の形状としては、特に限定されることはなく、矩形や所定の多角形状とすることができる。
【実施例３】
【００４０】
以下、本発明の実施例３における配光制御部材について図面を参照して説明する。
図１０は、配光制御部材の外観を示す斜視図、図１１は、配光制御部材としての錐体の斜視図を示す。図１２は、実施例３における配光制御部材としての錐体１１０の（Ａ）正面図、（Ｂ）Ａ―Ａ線断面図、（Ｃ）Ｂ−Ｂ線断面図である。図１３は、実施例３における配光制御部材の（Ａ）正面図、（Ｂ）Ａ―Ａ線断面図、（Ｃ）Ｂ−Ｂ線断面図、（Ｄ）Ｃ―Ｃ線断面図である。【００４１】
実施例３における配光制御部材１００及び錐体１１０は、図１０及び図１１に示すように、その基本構成は、実施例１における配光制御部材１００及び錐体１１０と同様である。従って、実施例１における配光制御部材１００及び錐体１１０と同一の構成要素については、同一の符号を付してその説明を省略する。【００４２】
錐体１１０の側部２０の表面には、図１１に示すように、平面視で矩形の環状突部４１ａ及び４１ｂが同心状に形成される。【００４３】
実施例３において、環状突部４１ａ及び４１ｂは、上面が平坦で断面形状が箱型の突条とされる。【００４４】
環状突部４１ａ及び４１ｂの形状については、環状形状に制限されることはなく、例えば、頂部１０を両側から挟み込むような平行突条としてもよく、複数のドット状突起の配列としてもよい。また、環状凸部４１ａ及び４１ｂの断面形状についても、同様に、特に制限されることはなく、例えば、上面が平坦で断面形状が台形でもよい。また、環状突部に代えて、環状溝部とすることも可能である。【００４５】
実施例３における配光制御部材は、図１０に示すように、実施例１と同様に、第１のプリズム部１２０、第２のプリズム部１３０ａ及び１３０ｂ、並びに、第３のプリズム部１４０ａ及びプリズム部１４０ｂが形成される。それぞれの構成については、第１の実施の形態における各プリズム部と同様であるので、同一の符号を付してその説明を省略する。【００４６】
実施例３における配光制御部材１００は、環状突部４１ａ及び４１ｂを備えているので、実施例１における配光制御部材と同様の配光特性を維持しつつ、意匠性を向上させることができる。
【実施例４】
【００４７】
以下、本発明の実施例４における配光制御部材について図面を参照して説明する。
図１４は、配光制御部材の外観を示す斜視図、図１５は、配光制御部材としてのレンズ部（錐体）の斜視図を示す。図１６は、実施例４における配光制御部材としてのレンズ部（錐体）の（Ａ）平面図、（Ｂ）Ａ―Ａ線断面図、（Ｃ）Ｂ−Ｂ線断面図である。図１７は、実施例４における配光制御部材の（Ａ）平面図、（Ｂ）Ａ―Ａ線断面図、（Ｃ）Ｂ−Ｂ線断面図である。【００４８】
実施例４における配光制御部材１００を構成するレンズ部（錐体）１１０は、図１５及び図１６に示すように、平面視で長方形の２つのレンズ部（錐体）１１１及び１１２が短辺で接するように並列されてなり、レンズ部（錐体）１１１及び１１２のそれぞれは、発光素子（図示せず）に対峙する頂部１０１及び１０２、該頂部１０１及び１０２から末広がり状に形成された側部２０１及び２０２、並びに、光の出射面となる長方形状の底部３０１及び３０２を備える略錐台形状とされる。また、各レンズ部（錐体）１１１及び１１２において、頂部１０１及び１０２は、それぞれの上面が平坦面とされ、この平坦面が図示しない発光素子からの光の入射面とされる。また、頂部１０１及び１０２から末広がり状に形成された側部２０１及び２０２は、レンズ部（錐体）１１１及び１１２の内部側に窪むと共に、頂部１０１及び１０２を挟んで対向して形成される第１の窪み部２１１及び２１２と、第１の窪み部２１１及び２１２に直交する方向に、同じく頂部１０１及び１０２を挟んで対向して形成される第２の窪み部２２１及び２２２とを備える。【００４９】
第１の対向する窪み部２１１及び２１２は、図１５及び図１６に示すように、谷底部２１１ａ及び２１２ａを挟んでＶ字状に配置される２つの平面２１１ｂ及び２１２ｂ並びに２１１ｃ及び２１２ｃより形成される。なお、図１６に示すように、第２の窪み部２２１及び２２２も同様の構成とされる。【００５０】
第１の窪み部２１１及び２１２、並びに、第２の窪み部２２１及び２２２は、その形状を、窪み部の深さや、平面２１１ｂ、２１１ｃ及び２１２ｂ、２１２ｃ、並びに、平面２２１ｂ、２２１ｃ及び２２２ｂ、２２２ｃの形状を任意に設定することにより、所定の被照射基準面で所望の配光特性を得ることができる。【００５１】
発光素子（図示せず）から出射し、各頂部１０１及び１０２側から錐体１１１及び１１２内にそれぞれ入射した光線は、平面２１１ｂ、２１１ｃ及び２１２ｂ、２１２ｃ、並びに、平面２２１ｂ、２２１ｃ及び２２２ｂ、２２２ｃを含む側部２２１及び２２２に、錐体１１１及び１１２の内部側から入射し、それぞれの平面でスネルの法則に従って反射（全反射）し、錐体１１１及び１１２の底部３０１及び３０２から所定の方向に出射し、被照射基準面（仮想平面）に達することになる。このとき、第１の窪み部２１１及び２１２、並びに、第２の窪み部２２１及び２２２の深さや、平面２１１ｂ、２１１ｃ及び２１２ｂ、２１２ｃ並びに平面２２１ｂ、２２１ｃ及び２２２ｂ、２２２ｃの形状を任意に設定することにより、光線の反射方向を制御して、被照射基準面（仮想平面）で所望の配光特性を得ることができるので、所定の被照射基準面の中心に光を照射した場合に、基準面の中心から所望範囲の四隅における照度を、任意に制御し、且つ、中心照度に対して十分な照度を確保することができる。【００５２】
実施例４における配光制御部材では、図１７に示すように、各レンズ部１１１及び１１２の長手方向及び短手方向の外周に、各レンズ部１１１及び１１２を囲むように矩形の第１のプリズム部１２０が形成される。また、第１のプリズム部１２０とレンズ部１１１及び１１２（１１０）との間には、第１のプリズム部の向かい合う２辺に平行して、レンズ部１１０を挟み込むように第２のプリズム部１３０ａ及び１３０ｂが形成される。また、プリズム部１２０の外周には、プリズム部１２０を囲むように矩形の第３のプリズム部１４０ａ及びプリズム部１４０ｂが形成される。【００５３】
各プリズム部１２０、１３０ａ、１３０ｂ、及び１４０ａ、１４０ｂの断面形状は、図４の（Ｂ）及び（Ｃ）に示すように、配光制御部材１００の中心側に面し、且つ光軸方向にほぼ垂直に近い斜面の入射面と、配光制御部材１００の外周側に面し、光軸に対して所定の角度で傾斜する反射面とを備える反射型フレネルレンズ形状とされる。【００５４】
各プリズム部１２０、１３０、及び１４０の各反射面は、レンズ部１１０に最も近接して配置されるプリズム部１２０から、最も離れて配置されるプリズム部１４０に向かって、その傾斜角度が緩やかになるように、各プリズム部の傾斜面が形成される。【００５５】
また、実施例４におけるプリズム部１４０ａ及びプリズム部１４０ｂは、図１４に示すように、配光制御部材１００の内部、即ち、レンズ部１１０側に窪むＶ字状の２平面から形成されている。【００５６】
実施例４における配光制御部材１００は、図示しない発光素子から出射した光線は、各プリズム部１２０、１３０及び１４０の各入射面（屈折面）からプリズム部内に入射し、各プリズム部１２０、１３０及び１４０の各反射面（または全反射面）で反射され、光軸方向に光線の方向が変換されて出射する。従って、本発明の配光制御部材としてのレンズ部（錐体）１１１及び１１２の頂部１０１及び１０２側からレンズ部（錐体）１１１及び１１２内にそれぞれ入射し、底部３０１及び３０２から出射する光の配光特性と合わせて、効果的に、仮想平面上での配光特性が制御され、仮想平面の中心から所望範囲の四隅における照度を十分確保することができる。【００５７】
実施例４の発明によれば、それぞれのレンズ部（錐体）１１１及び１１２から出射する光は、被照射面内で直交するＸＹ方向での照射光の配光特性がＸ及びＹ方向で、非回転対象に且つ所望の配光特性となるように制御することができ、また、所定の被照射基準面に光を照射した場合に、基準面の中心から所望範囲の四隅における照度を、任意に制御し、且つ、中心照度に対して十分な照度を確保することができる。更に、異なる特性の光（例えば、波長）を発光する複数の発光素子を組み合わせた配光制御部材をカメラフラッシュモジュールに適用した場合には、所望のホワイトバランスを再現できるカメラフラッシュモジュールを提供できる。【００５８】
実施例１から実施例４における配光制御部材１００は、エポキシ系（ＥＰ）のＵＶ硬化性光透過性樹脂からなり、型に樹脂を充填後にＵＶを照射して硬化させることにより成型される。【００５９】
しかしながら、本発明において、特に、この例に限定されるものではなく、例えば、ポリメタクリル酸メチル（ＰＭＭＡ）やポリカーボネート（ＰＣ）、エポキシ樹脂（ＥＰ）などの光透過性樹脂を用いて射出成型により成型してもよい。【００６０】
また、実施例１の錐体１１０においては、第１の対向する窪み部２１及び第２の対向する窪み部２２の２対の窪み部を有している例を示し、実施例２の錐体１１０においては、第１から第４の窪み部２１〜２４の４対の窪み部を有している例を示したが、本発明において、特に、この例に限定されるものではなく、求められる配光特性に応じて、２対及び４対以外の、例えば、６対の窪み部を有していてもよい。この場合において、窪み部は、２、４、６、８対の偶数対であることが、被照射面における矩形配光特性を得る上で、特に好ましい。また、その形状についても、各窪み部が、Ｖ字状の２平面から形成されていてもよく、曲面から形成されていてもよい。また、各窪み部が、多平面から形成されていてもよい。【００６１】
本発明の照明装置は、図示しない発光素子と、上記実施例１から実施例４のいずれかの配光制御部材を有している。発光素子としては、例えば、ＬＥＤ（発光ダイオード）などの半導体発光素子を用いることができるが、これらの発光ダイオード等の数や配置などは特に限定されず、例えば、複数の発光ダイオードを所定の位置に配置した面状光源としてもよく、単一の発光ダイオードを用いてもよい。そして、発光素子（図示せず）は、プリズム部１２０の先端より錐体１１０側の空間であって、頂部１０に対峙する位置に配置されることが好ましい。【００６２】
本発明にかかる照明装置は、光束制御部材の光軸方向の厚みを薄くしつつ、光源から出射される光を、被照射面において矩形配光特性とすることが出来るので、特に、光軸方向の薄肉化を要求されるスマートフォンのカメラフラッシュ等において、特定の矩形領域を照明する用途に特に好適である。また、所定の被照射基準面に光を照射した場合に、基準面の中心から所望範囲の四隅における照度を、任意に制御し、且つ、中心照度に対して十分な照度を確保することができるので、フラットパネルディスプレイのバックライトや車両の灯火類などの用途に広く使用することができる。
【符号の説明】
【００６３】
１００  配光制御部材
１１０  錐体（レンズ部）
１０    頂部
２０    側部
３０    底部
２１、２２、２３、２４  窪み部
【図１】
0006558741.tif 000002
【図２】
0006558741.tif 000003
【図３】
0006558741.tif 000004
【図４】
0006558741.tif 000005
【図５】
0006558741.tif 000006
【図６】
0006558741.tif 000007
【図７】
0006558741.tif 000008
【図８】
0006558741.tif 000009
【図９】
0006558741.tif 000010
【図１０】
0006558741.tif 000011
【図１１】
0006558741.tif 000012
【図１２】
0006558741.tif 000013
【図１３】
0006558741.tif 000014
【図１４】
0006558741.tif 000015
【図１５】
0006558741.tif 000016
【図１６】
0006558741.tif 000017
【図１７】
0006558741.tif 000018